(57)【特許請求の範囲】
【請求項１】
義歯製作に供される補綴用人工臼歯において、
上下顎の大小臼歯をそれぞれ天然歯に近似した咬合関係と生理的な咬耗によって生じるファセットを有する人工臼歯からなるナチュラルファセット臼歯として再構成し、それらを組み合わせて一式とすることより、標準的に調整されたスマイルラインの形成を含み顎運動に調和し、かつ、義歯を安定させるための咬耗形態を有した全運動方向の生理的咬合状態を再現可能とする人工臼歯ユニットであって、
天然歯列をマスターモデルとして、そのファセットに基づく咬耗形態及びスピーカーブに基づく排列状態を再現した上下顎の大小臼歯を個々に造形し、かつブロック排列した上顎用ナチュラルファセット臼歯ブロック要素及び下顎用ナチュラルファセット臼歯ブロック要素からなることを特徴とする人工臼歯ユニット。
【請求項２】
上顎用ナチュラルファセット臼歯ブロック要素が大小臼歯４本を１ブロックとして構成され、第１小臼歯頬側咬頭頂（P1）、第２小臼歯舌側及び頬側咬頭頂（P2,P3)、並びに第１大臼歯舌側咬頭頂（P4）を包含する平面が上顎咬合平面（基準面）となるようにレベル形成したものであり、
下顎用ナチュラルファセット臼歯ブロック要素が大臼歯２本を１ブロック、及び小臼歯２本を１ブロックとしてそれぞれ構成したものであり、
前記上顎用ナチュラルファセット臼歯ブロック要素を咬合平面板に載置し前記基準面をあわせた状態で上顎基礎床にワックス固定することにより補綴物を作成するようにした請求項１記載の人工臼歯ユニット。
【請求項３】
天然歯列のマスターモデルが総義歯補綴用であって、展開角１４０°〜１５０°のファセットを有するものである請求項１記載の人工臼歯ユニット。
【請求項４】
総義歯補綴物において、
通法により人工歯排列用基礎床を作成し、咬合器の咬合平面板上で前歯を排列調整した後、請求項３記載の人工臼歯ユニットの上顎用ナチュラルファセット臼歯ブロック要素の基準面を咬合平面板にあわせた状態で上顎基礎床に無収縮ワックスで固定し、歯肉部をワックスアップして上顎の義歯補綴物を作成し、下顎について前記上顎の義歯補綴物に合わせて請求項３記載の人工臼歯ユニットの下顎用ナチュラルファセット臼歯ブロック要素を嵌合させて無収縮ワックスで固定し、歯肉部をワックスアップして下顎の義歯補綴物を作成して得られる総義歯補綴物であって、以下の性質を有することを特徴とする総義歯補綴物。
＜１＞天然歯列のファセットに基づく咬耗形態及びスピーカーブに基づく排列状態を再現することにより造形され、天然歯に近似した咬合関係を有するように再構成されている。＜２＞上顎用ナチュラルファセット臼歯ブロック要素の第１小臼歯頬側咬頭頂（P1）、第２小臼歯舌側及び頬側咬頭頂（P2,P3)、並びに第１大臼歯舌側咬頭頂（P4）を包含する平面が上顎咬合平面（基準面）となるようにレベル形成されている。
＜３＞顎運動に調和し、かつ、義歯を安定させるための咬耗形態を有した全運動方向の生理的咬合状態を再現でき、削合調整が不要である。
＜４＞前歯と大小臼歯の頬側咬頭頂が標準的に調整されたスマイルライン上に排列されている。
【発明の詳細な説明】
【０００１】
【発明の属する技術分野】
本発明は、上下顎の大小臼歯をそれぞれ天然歯に近似した咬合関係を有するナチュラルファセット臼歯として再構成し、それらを組み合わせて一式とした人工臼歯ユニット、及び歯科用咬合器を用いて人工臼歯ユニットを組み込むことにより製作可能で生理的咬合状態を創出可能な総義歯補綴物に関する。
【０００２】
なお、ファセット［ｆａｓｓｅｔ］は歯牙咬頭傾斜角度であって咬耗形態を規定し〔図１０、図１１、図１３、及び図１４参照〕、スピーカーブ［ｓｐｅｅ  ｃｕｒｖｅ］は口腔円錐［ｄｅｎｔａｌ  ｃｏｒｎ］  の頂点であるスピーセンター［ｓｐｅｅ  ｃｅｎｎｔｅｒ］からの円弧（Ｒ≒１０ｃｍ）であって排列状態を規定する〔図９参照〕。
【０００３】
また、生理的咬合状態とは、噛み合わせの出発点と終点である咬頭嵌合位、及び靱帯が緊張させられた限界位である後方咬合位に係る咬合状態をいう。
【０００４】
【従来の技術】
先に本発明者は、上下の顎フレーム間に歯牙石膏模型を装着して、生体の顎関節機能と同等の全運動方向に動作可能な受圧機能と牽引機能を具現することにより、生理的な咬合状態を再現又は分析可能とする歯科用咬合器〔以下、先願咬合器。〕を提案してきた。
【０００５】
図１８に示すとおり、先願咬合器Ｚは、歯科医及び歯科技工士の臨床的分野において上下の歯牙の噛み合わせの治療及び補綴物を作成する際に使用され、前傾角度１０°を有した咬合平面板８を用いて、上顎歯牙石膏模型６を補綴学的平面であるカンペル平面（Ｃａｍｍｐｅｌ  Ｐｌａｎｅ）  と平行に上顎フレーム５１に装着し、下顎歯牙石膏模型７を下顎フレーム５２を基台として載置固定した変換プレート１（上部構造部材２）  上に装着し、上下顎関係が中心位（前方上位）の状態となるように生理的上下関係を再現するとともに、変換プレート１（２）  をずらし操作して下顎運動の全運動方向を調整することにより、生体の生理的な咬合状態を再現又は分析可能とするものである。〔ＷＯ００／２１４５７〕
【０００６】
その特徴的構成は、生体の咬合平面角度と同様の前傾角度を有する咬合平面板８と；スピーセンター９１と後方運動軸９２の平均的位置を複数箇所に設定し、それぞれ両面一対として点描した咬合分析板９と；前後左右の咬頭傾斜を写像する倒立した円錐形状斜面を刻設して切歯指導桿５４の先端を摺動させるようにした切歯指導板５６と；下顎フレーム５２を基台として装着される変換プレート１（２）  を具備し、変換プレート１（２）  上に下顎の歯牙石膏模型７を載置・装着してずらし操作することにより、生体の咬頭嵌合位及び後方咬合位に係る生理的咬合状態を再現するようにしている。
【０００７】
そして、▲１▼上部構造部材と下部構造部材を歯合させ固定することにより咬頭嵌合位に係る咬合状態が再現操作されるとともに、▲２▼上部構造部材を摺動させて、下部構造部材を相対的に前下方３０°方向に平行移動（スライド）させ固定することにより、咬頭嵌合位及び後方咬合位に係る生理的咬合状態を再現操作することができる。〔図１９参照〕
【０００８】
ところで、新調した総義歯が合わなくて、調整を繰り返しても咬合の不調和が解消しないという事例が多くあり、これにともない全身の症状を訴える場合も多くみられる。
【０００９】
こうした場合、臨床歯科医は咬合治療をすることになるが、その指針となる基本的顎位の概念である「中心位」に関し、近年「最後退位」から「前上方位」に定義が変更されてきたにもかかわらず、未だ臨床的意義が明らかにされていないため、標準的な術式が確立していない。
【００１０】
【発明が解決しようとする課題】
中心位（前上方位）は、歯の噛み合わせが顎関節を支点として閉口筋の活動により決定され、正常時、歯を噛み合わせたときの筋活動が左右前後的にバランスが保たれている生理重力下での安定した位置（解剖学的には顆頭安定位）あるいは生理的・機能的に不偏な中立関係位置（本発明者の提唱するニュートラル・リレーション［Ｎｅｕｔｒａｌ  Ｒｅｌａｔｉｏｎ］、以下ＮＲと略称する。）をいうものであるから、顎関節の解剖的所見と機能解析における新たな指導原理、すなわち生体において顎口腔系は咀嚼機能運動を営むばかりでなく、姿勢制御における頭位軸慣性平衡系、つまり頭蓋部の前後左右的なバランスをとる機能（前記ＮＲの定義に包摂される。）を有しているとの認識に立脚した生理的な咬合の診断及び治療法が重要である。
【００１１】
また、総義歯はすべての歯が失われているために、咬合高径、咬合位等すべての咬合要素を再構成する咬合治療（下顎位の修正を基本とする）といえ、有歯顎と無歯顎とを問わない顎関節障害の治療と共通する。
【００１２】
上述のとおり先願咬合器は、生理重力下において左右対称性を有し、約１０°の前傾角度を有した咬合平面が設定可能で、生体の下顎の振子運動に調和したスピーカーブを有し、咬頭嵌合位や後方咬合位、左右前後的に調和のとれた咬頭斜面を再現可能としており、新たな指導原理に基づく全運動方向の生理的咬合状態（前記ＮＲの定義に包摂される。）を再現操作できるものである。〔図１６〜図１９参照〕
【００１３】
この先願咬合器を用いれば、全運動方向の生理的咬合状態を再現操作できるので、天然歯列（マスターモデル）を写像ないしは複製又は調整した義歯（本発明に関し人工臼歯）を製作できる。また、生理的咬合状態を創出可能な義歯補綴物（本発明に関し総義歯補綴物）を製作できる。
【００１４】
なお、天然歯列を模擬した人工臼歯の提案は従来技術としてあるが、本発明者が提案した先願咬合器を用いなければ、正しい又は理想的な人工臼歯（ナチュラルファセット臼歯）の作成は不可能であろう。なぜならば、先願明細書で述べたように、新たな指導原理に基づく知見（「咬合器と生体との関係」と「顎運動の幾何解剖学的考察」）を有し、これに立脚して生体の顎関節機能と同等の全運動方向に動作可能な受圧機能と牽引機能を咬合器により具現し、生理的な咬合状態を再現又は分析ないしは検証できなければ、正しい又は理想的な義歯製作は困難だからである。図２０に咬合面形態と顎運動軌跡（三次元解析）の調和を示す。〔藤田和也：顎関節症−生理的咬合の判定基準−（２ｎｄ．ｅｄ．），デンタルフォーラム１９９９，Ｐ．１８６  所収〕また、図２１に咬合平面（基準面）、スピーカーブ及び後方運動軸（後方誘導面）の関係を示すとともに、前歯と大小臼歯の頬側咬頭頂が標準的又は理想的に調整されたスマイルラインを示す。〔ｉｂｉｄ．，Ｐ．１５０  所収〕
【００１５】
本発明はこのような事情に鑑みなされたものであって、上下顎の大小臼歯をそれぞれ天然歯に近似した咬合関係を有するナチュラルファセット臼歯として再構成し、それらを組み合わせて一式とした人工臼歯ユニット、及び歯科用咬合器を用いて人工臼歯ユニットを組み込むことにより製作可能で生理的な咬合状態を再現可能な総義歯補綴物を提供するものである。
【００１６】
【課題を解決するための手段】
課題を解決するために本発明は、上下顎の大小臼歯をそれぞれ天然歯に近似した咬合関係を有するナチュラルファセット臼歯として再構成し、それらを組み合わせて一式とすることより、標準的に調整されたスマイルラインの形成を含み全運動方向にバランスのとれた咬合状態を再現可能とする人工臼歯ユニットであって、天然歯列をマスターモデルとして、そのファセット（歯牙咬頭傾斜角度）あるいは咬耗形態、及びスピーカーブあるいは排列状態を写像ないし複製又は調整した上下顎の大小臼歯を個々に造形し、かつブロック排列した上顎用ナチュラルファセット臼歯ブロック要素及び下顎用ナチュラルファセット臼歯ブロック要素からなることを特徴とするものである。
【００１７】
また、先願咬合器を用いて、総義歯補綴用に展開角１４０°〜１５０°のファセットを有する上記人工臼歯ユニットを組み込んで作成した総義歯補綴物であって、以下の性質を有することを特徴とするものである。
【００１８】
＜１＞天然歯列のファセット（歯牙咬頭傾斜角度）あるいは咬耗形態、及びスピーカーブあるいは排列状態を写像ないしは複製又は調整することより造形され、天然歯に近似した咬合関係を有するように再構成されている。
【００１９】
＜２＞上顎用ナチュラルファセット臼歯ブロック要素の第１小臼歯頬側咬頭頂（Ｐ１）、第２小臼歯舌側及び頬側咬頭頂（Ｐ２，Ｐ３）、並びに第１大臼歯舌側咬頭頂（Ｐ４）を包含する平面が上顎咬合平面（基準面）となるようにレベル形成されている。
【００２０】
＜３＞全運動方向にバランスのとれた咬合状態を再現しており、削合調整が不要である。
【００２１】
＜４＞前歯と大小臼歯の頬側咬頭頂が標準的に調整されたスマイルライン上に排列されている。
【００２２】
ここで、附属治具として、生体の咬合平面と平行なカンペル平面を記録するためのフェイスボー（図示省略）を具備するのが好ましい。
【００２３】
【発明の実施の形態】
本発明の実施の形態を添付図面に基づいて以下説明する。
【００２４】
図１はマスターモデルとした天然歯列Ｎを示す外観説明図である。人工臼歯を造形するために、天然歯を歯科用咬合器Ｚに装着して、そのファセット（歯牙咬頭傾斜角度）あるいは咬耗形態、及びスピーカーブあるいは排列状態等を含む歯列を解析又は検証する。
【００２５】
図２は人工臼歯ユニットＸを示す咬合面観説明図であり、（ａ）が上顎用ナチュラルファセット臼歯ブロック要素Ｘ１、及び（ｂ）が下顎用ナチュラルファセット臼歯ブロック要素Ｘ２である。
【００２６】
図３は上顎（右）用ナチュラルファセット臼歯ブロック要素Ｘ１の咬合面観を示す説明図である。上顎咬合平面Ｐ（基準面）をレベル形成している点に注意されたい。図中、ＸＸは歯間接合部である。
【００２７】
図４は上顎（右）用ナチュラルファセット臼歯ブロック要素Ｘ１の上顎咬合平面Ｐ（基準面）を咬合平面板８にあわせた状態を示す頬側視説明図である。すでにスピーカーブが現出できている点に注意されたい。
【００２８】
図５は上顎（左）用ナチュラルファセット臼歯ブロック要素Ｘ１の頬側視説明図である。
【００２９】
図６は下顎（左）用ナチュラルファセット臼歯ブロック要素Ｘ２の舌側視説明図である。
【００３０】
図７は上下顎（左）用ナチュラルファセット臼歯ブロック要素Ｘ１，Ｘ２（Ｘ２ａ；ｘ２ｂ）の頬側視咬合説明図である。
【００３１】
図８は上下顎臼歯部完成義歯の咬合面観を示す説明図である。
【００３２】
図９は図８中Ａ視咬合端面を示す説明図である。上下顎臼歯部においてそれぞれが嵌合する上顎の近心窩及び中心窩と下顎の咬頭頂を切断線としているので、スピーカーブが看てとれる。
【００３３】
図１０は図８中Ｂ視咬合端面を示す説明図である。上下顎の第１小臼歯を側方に切断しているので水平運動軌跡Ｌ４〔図２０〕が推認される。
【００３４】
図１１は図８中Ｃ視咬合端面を示す説明図である。上下顎の第１大臼歯を側方に切断しているので水平運動軌跡Ｌ６〔図２０〕が推認される。
【００３５】
図１２は上下顎臼歯部完成義歯の咬合面観を示す説明図である。
【００３６】
図１３は図１２中Ｄ視咬合端面を示す説明図である。上顎第１小臼歯１４を後方運動方向に切断しているので後方誘導面が推認される。〔必要ならば、図１９、図２０の後方運動軌跡Ｌ４、及び図２１参照〕
【００３７】
図１４は図１２中Ｅ視咬合端面を示す説明図である。上顎臼歯部（Ｘ１）を後方運動方向に切断しているので後方誘導面が推認される。〔必要ならば、図１９、図２０の後方運動軌跡Ｌ６、及び図２１参照〕
【００３８】
図１５は総義歯補綴物Ｙを示す咬合面観説明図であり、（ａ）が上顎用ナチュラルファセット臼歯ブロック要素Ｘ１を用いた上顎完成義歯Ｙ１、及び（ｂ）が下顎用ナチュラルファセット臼歯ブロック要素Ｘ２を用いた下顎完成義歯Ｙ２である。
【００３９】
図１６は歯科用咬合器Ｚと生体（セファロ表示）との関係を示す側面視説明図である。
【００４０】
図１７は咬頭嵌合位における口腔円錐を示す側面視説明図である。
【００４１】
図１に示す天然歯列Ｎをマスターモデルとして、図１８に示す先願咬合器Ｚを用いて、そのファセット（歯牙咬頭傾斜角度）あるいは咬耗形態、及びスピーカーブあるいは排列状態を写像ないしは複製又は調整した上下顎の大小臼歯（人工臼歯）を個々に造形する。上下顎ともそれぞれ左右一対とするのは当然であるから、左右いずれかには特にこだわらない。
【００４２】
ここで、先願咬合器Ｚにおける切歯指導板５６は、展開角の異なった３種類の円錐形状のものを用意し、後方運動軸９２とペアで使用する。
【００４３】
顎関節の正常な典型的な咬合歯列には、後方運動角３０°、展開角１００  °のものを使用する。総義歯補綴物には、後方運動角１５°、展開角１４０  °のものを使用する。これらの中間の咬合歯列に対しては、後方運動角２２°、展開角１２０  °のものを使用する。
【００４４】
この切歯指導板５６は、前後左右方向に切歯指導桿５４を動かせて、それぞれの傾斜角度を測ることができるので、従来的な切歯を指導するのみならず、臼歯を指導するもの〔臼歯指導桿〕となっているのである。
【００４５】
図２〜図７に示すように、造形後の個々の人工臼歯１４〜１７；２４〜２７をブロック排列した上下顎用ナチュラルファセット臼歯ブロック要素Ｘ１；Ｘ２（Ｘ２ａ，Ｘ２ｂ）  は、大小臼歯４本を１ブロックとして排列し一体化構成した上顎用ナチュラルファセット臼歯ブロック要素Ｘ１と、大臼歯２本を１ブロック（Ｘ２ａ）  、及び小臼歯２本を１ブロック（Ｘ２ｂ）  としてそれぞれに一体化構成した下顎用ナチュラルファセット臼歯ブロック要素Ｘ２を作成する。
【００４６】
ここで、上顎用ナチュラルファセット臼歯ブロック要素Ｘ１の第１小臼歯１４頬側咬頭頂（Ｐ１）、第２小臼歯１５舌側及び頬側咬頭頂（Ｐ２，Ｐ３）、並びに第１大臼歯１６舌側咬頭頂（Ｐ４）を包含する平面が上顎咬合平面Ｐ（基準面）となるようにレベル形成される。そして、上顎用ナチュラルファセット臼歯ブロック要素Ｘ１を咬合平面板８に載置し基準面Ｐをあわせた状態で上顎基礎床にワックス固定することにより臼歯部の補綴物を作成するようにしている。
【００４７】
スピーカーブ及び水平運動に関し、上下顎の臼歯部の完成義歯を咬合面観を図８に示し、図９〜図１１に図８中のＡ、Ｂ、及びＣ視での咬合端面を示す。また、後方誘導面（後方運動）に関し、上下顎の臼歯部の完成義歯を咬合面観を図１２に示し、図１３、図１４に図１２中のＤ、及びＥ視での咬合端面を示す。〔あわせて図２０、図２１を参照。〕
【００４８】
上記構成の各ブッロク要素Ｘ１；Ｘ２（Ｘ２ａ，Ｘ２ｂ）  は成形金型をおこす際の原型（マスターピース）とされればよく、臨床では複製された成形品を使用することになる。
【００４９】
また、図１５に示すように、総義歯補綴物Ｙは、通法により人工歯排列用基礎床を作成し、先願咬合器Ｚ〔図１８〕の咬合平面板８上で前歯を排列調整した後、展開角１４０°〜１５０°（実際的には約１５０°になる）の上記人工臼歯ユニットＸ〔Ｘ１；Ｘ２（Ｘ２ａ，Ｘ２ｂ）  〕を用意し、上顎用ナチュラルファセット臼歯ブロック要素Ｘ１の基準面Ｐを咬合平面板８にあわせた状態で上顎基礎床に無収縮ワックスで固定し、歯肉部をワックスアップして上顎の義歯補綴物Ｙ１を作成し、下顎について前記上顎の義歯補綴物Ｙ１にあわせて下顎用ナチュラルファセット臼歯ブロック要素Ｘ２（Ｘ２ａ，Ｘ２ｂ）  をそれぞれ嵌合させて無収縮ワックスで固定し、歯肉部をワックスアップして下顎の義歯補綴物Ｙ２を作成することにより得られる。
【００５０】
すなわち、閉口時の咬合採得をし、生体の咬合平面と平行なカンペル平面を記録するためのカンペル・フェイスボー（図示省略）を用いて上顎咬合平面のフェイスボー採得をし、先願咬合器Ｚを用いて上顎及び下顎の作業模型をマウントし、咬合採得に用いた咬合床を取り外して人工歯排列用基礎床を作成し、前歯を排列調整した後、展開角約１５０°の上記人工臼歯ユニットＸ〔Ｘ１；Ｘ２（Ｘ２ａ，Ｘ２ｂ）  〕を用意し、上顎用ナチュラルファセット臼歯ブロック要素Ｘ１の基準面Ｐを咬合平面板８にあわせた状態で上顎基礎床に無収縮ワックスで固定し、歯肉部をワックスアップして上顎の義歯補綴物（Ｙ１）を作成することで、臼歯部の近心窩及び中心窩はスピーカーブ上に排列調整され、上顎切歯部切端をスマイルセンター（近似的にはスピーセンター、以下同じ。）を中心にした円弧に揃えて前歯と大小臼歯の頬側咬頭頂が標準的に調和したスマイルラインを形成する。（上顎完成義歯Ｙ１）
【００５１】
ついで上顎完成義歯Ｙ１（対象は排列された上顎用ナチュラルファセット臼歯ブロック要素Ｘ１）に対して下顎用ナチュラルファセット臼歯ブロック要素Ｘ２（Ｘ２ａ，Ｘ２ｂ）  をそれぞれ嵌合させて無収縮ワックスで固定し、歯肉部をワックスアップすることで、下顎臼歯部の頬側咬頭頂はスピーカーブ上に排列調整され、下顎切歯部切端及び下顎犬歯部切端をそれぞれスマイルセンターを中心にした円弧に揃えて左右均等な前方咬合時の切端咬合位を再現することにより下顎の義歯補綴物（下顎完成義歯Ｙ２）を作成し総義歯補綴物Ｙを完成する。
【００５２】
ここで、標準的なスマイルラインの形成は、上顎臼歯部の近心窩及び中心窩と下顎臼歯部の頬側咬頭頂をそれぞれスピーカーブ上に排列調整し、上顎中切歯及び犬歯切端、上顎第１小臼歯頬側咬頭頂、上顎第２小臼歯頬側及び舌側咬頭頂、並びに上顎第１大臼歯舌側咬頭頂を１つの平面である咬合平面に接し、上下顎切歯部切端及び下顎犬歯部切端をそれぞれスマイルセンターを中心にした円弧に揃えて、左右均等な前方咬合時の切端咬合位を再現するように調整される。〔図  １６、図１７及び図２１参照〕
【００５３】
こうして得られた総義歯補綴物Ｙは、天然歯に近似した咬合関係を有し、全運動方向にバランスのとれた咬合状態を再現可能で、削合調整が不要である。また、前歯と大小臼歯の頬側咬頭頂が標準的に調整されたスマイルラインを有している。
【００５４】
【発明の効果】
本発明は以上の構成よりなるものであり、これによれば人工臼歯ユニットが天然歯列のファセット（歯牙咬頭傾斜角度）あるいは咬耗形態、及びスピーカーブあるいは排列状態を写像又は複製することより造形されているので、総義歯補綴物を天然歯に近似した咬合関係を有するように再構成することができる。しかも、全運動方向にバランスのとれた咬合状態を再現できるので、削合調整が不要である。また、前歯と大小臼歯の頬側咬頭頂が標準的に調整されたスマイルラインを現出できる。
【００５５】
先願咬合器により作成した各ナチュラルファセット臼歯ブッロク要素は成形金型をおこす際の原型（マスターピース）とされればよく、臨床では複製された成形品を使用することができるので量産可能であり、しかも人工臼歯及びこれを含む総義歯補綴物の製作を標準化できる。故に、斯界に極めて有益で価値の高いものである。
【図面の簡単な説明】
【図１】マスターモデルとした上顎天然歯列Ｎを示す外観説明図である。
【図２】人工臼歯ユニットＸを示す咬合面観説明図であり、（ａ）が上顎用ナチュラルファセット臼歯ブロック要素Ｘ１、及び（ｂ）が下顎用ナチュラルファセット臼歯ブロック要素Ｘ２である。
【図３】上顎（右）用ナチュラルファセット臼歯ブロック要素Ｘ１の咬合面観を示す説明図である。
【図４】上顎（右）用ナチュラルファセット臼歯ブロック要素Ｘ１の上顎咬合平面を咬合平面板にあわせた状態を示す頬側視説明図である。
【図５】上顎（左）用ナチュラルファセット臼歯ブロック要素Ｘ１の頬側視説明図である。
【図６】下顎（左）用ナチュラルファセット臼歯ブロック要素Ｘ２の舌側視説明図である。
【図７】上下顎（左）用ナチュラルファセット臼歯ブロック要素Ｘ１，Ｘ２（Ｘ２ａ；ｘ２ｂ）の頬側視咬合説明図である。
【図８】上下顎臼歯部完成義歯の咬合面観を示す説明図である。
【図９】図８中Ａ視咬合端面を示す説明図である。
【図１０】図８中Ｂ視咬合端面を示す説明図である。
【図１１】図８中Ｃ視咬合端面を示す説明図である。
【図１２】上下顎臼歯部完成義歯の咬合面観を示す説明図である。
【図１３】図１２中Ｄ視咬合端面を示す説明図である。
【図１４】図１２中Ｅ視咬合端面を示す説明図である。
【図１５】総義歯補綴物Ｙを示す咬合面観説明図であり、（ａ）が上顎用ナチュラルファセット臼歯ブロック要素Ｘ１を用いた上顎完成義歯Ｙ１、及び（ｂ）が下顎用ナチュラルファセット臼歯ブロック要素Ｘ２を用いた下顎完成義歯Ｙ２である。
【図１６】先願咬合器Ｚと生体（セファロ表示）との関係を示す側面視説明図である。
【図１７】咬頭嵌合位における口腔円錐（スピーセンター含む）を示す側面視説明図である。
【図１８】先願咬合器Ｚの構成を示す側面視説明図である。
【図１９】先願咬合器Ｚの使用方法（生理的咬合状態の再現操作）を示す側面視説明図である。
【図２０】咬合面形態と顎運動軌跡の調和を示す顎運動の三次元解析図である。
【図２１】咬合平面（基準面）、スピーカーブ及び後方運動軸（後方誘導面）の関係とともに、前歯と大小臼歯の頬側咬頭頂が標準的又は理想的に調整されたスマイルラインを示す説明図である。
【符号の説明】
Ｘ  人工臼歯ユニット
Ｘ１    上顎用ナチュラルファセット臼歯ブロック要素
１４    第１小臼歯（上顎４番）
１５    第２小臼歯（上顎５番）
１６    第１大臼歯（上顎６番）
１７    第２大臼歯（上顎７番）
Ｐ    上顎咬合平面（基準面）
Ｐ１    第１小臼歯頬側咬頭頂
Ｐ２    第２小臼歯舌側咬頭頂
Ｐ３    第２小臼歯頬側咬頭頂
Ｐ４    第１大臼歯舌側咬頭頂
Ｘ２  下顎用ナチュラルファセット臼歯ブロック要素
Ｘ２ａ  大臼歯１ブロック
Ｘ２ｂ  小臼歯１ブロック
２４    第１小臼歯（下顎４番）
２５    第２小臼歯（下顎５番）
２６    第１大臼歯（下顎６番）
２７    第２大臼歯（下顎７番）
ＸＸ  歯間接合部
Ｙ  総義歯補綴物
Ｙ１  上顎完成義歯
Ｙ２  下顎完成義歯
８  咬合平面板
Ｎ  上顎天然歯列（マスターモデル）
Ｚ  歯科用咬合器
【図１】
0003603199.tif 000002
【図２】
0003603199.tif 000003
【図３】
0003603199.tif 000004
【図４】
0003603199.tif 000005
【図５】
0003603199.tif 000006
【図６】
0003603199.tif 000007
【図７】
0003603199.tif 000008
【図８】
0003603199.tif 000009
【図９】
0003603199.tif 000010
【図１０】
0003603199.tif 000011
【図１１】
0003603199.tif 000012
【図１２】
0003603199.tif 000013
【図１３】
0003603199.tif 000014
【図１４】
0003603199.tif 000015
【図１５】
0003603199.tif 000016
【図１６】
0003603199.tif 000017
【図１７】
0003603199.tif 000018
【図１８】
0003603199.tif 000019
【図１９】
0003603199.tif 000020
【図２０】
0003603199.tif 000021
【図２１】
0003603199.tif 000022